(57)【要約】【課題】  簡単な構成で、清潔感のある洋式便器の小便受止装置を提供せんとする。【解決手段】  洋式便器１の上面と便座２間に設置される受止板４であって、この受止板４は便器１の上面の手前部及び両側部を被覆するＵ字型であり、便器１上面に設置した前後方向へのガイド部に、受止板４の脚部６がスライド可能に係止し、便座２の開閉に従い便器１外方の手前（使用者側）へ突出又は復帰すべくした洋式便器の小便受止装置。【選択図】  図２
2006068438.tif 000002
【特許請求の範囲】
【請求項１】
洋式便器の上面と便座間に設置される受止板であって、この受止板は便器の上面の手前部及び両側部を被覆するＵ字型であり、便器上面に設置した前後方向へのガイド部に、受止板の脚部がスライド可能に係止し、便器の開閉に従い便器外方の手前（使用者側）へ突出又は復帰すべくした洋式便器の小便受止装置。
【請求項２】
便座の開閉に従って回転する回転軸と受止板に、ロープ体の両端を固定して連係し、回転軸へは巻回して固定すると共に、受止板に復帰方向への付勢手段を設けた請求項１記載の洋式便器の小便受止装置。
【請求項３】
受止板が上向きの角度で突出する請求項１又は２記載の洋式便器の小便受止装置。
【請求項４】
受止板の上面に吸水性素材より成る被覆体を着脱可能に設けた請求項１、２又は３記載の洋式便器の小便受止装置。
【発明の詳細な説明】
【技術分野】
【０００１】
本発明は、洋式便器において男性が小便をする際に、便器の周辺に小便が飛散して床等を汚すのを防ぐ、受止装置に関するものである。
【背景技術】
【０００２】
洋式便器において男性が小便をする際に、便器の周辺に小便が飛散して、便器や周辺の床等を汚してしまう場合が重々にしてある。これは便器が下方に位置し、大人になると距離があるため、方向が定まらぬことがあるためである。
【０００３】
そこで、便器との距離を短くするため、便器上にガイドと成る装置を付設する工夫をしたものがある。
例えば、特開平０７ー３４５０９では、洋式便器の便器部の内側に収まるようにした下部が枕状で、底のない形状の小便受けと、この小便受けと便座とを連結する支持具を設けたものが提案されている。
【０００４】
又、特開２００２ー７０１１３では、洋式便器本体の便器開口部付近に、便座の開閉操作に連動して自動的に便器開口部上辺に形成、或いは便器リム部と便座の間に収納されることができる伸縮式の小便飛散防止カバーを、便器リム部に取付可能に設けたものである。
【特許文献１】特開平０７ー３４５０９
【特許文献２】特開２００２ー７０１１３
【発明の開示】
【発明が解決しようとする課題】
【０００５】
上記従来の技術は、便器上に筒状体を形成して便器を実質的に高くすることによって、小便の飛散を防止せんとするものである。
したがって、便器上に伸縮可能な筒状体を構成したり、便器内に収容した筒状体を便器上に持ち上げる昇降手段等が必要である等、構成が複雑化すると共に、当該装置の清潔の保持を要求されるのである。
【０００６】
そこで、本発明は簡単な構成で、清潔感のある洋式便器の小便受止装置を提供せんとするものである。
【課題を解決するための手段】
【０００７】
本発明は、洋式便器の上面と便座間に設置される受止板であって、この受止板は便器の上面の手前部及び両側部を被覆するＵ字型であり、便器上面に設置した前後方向へのガイド部に、受止板の脚部がスライド可能に係止し、便器の開閉に従い便器外方の手前（使用者側）へ突出又は復帰すべくした洋式便器の小便受止装置としたものである。
小便の飛散で一番多いのは、便器の手前使用者側の周辺に発生するのである。本発明では、便器の上面手前側に設置したＵ字型の受止板が、使用時に便器外方の手前使用者側へ突出するため、該受止板で便器の手前使用者側に発生飛散する小便を受け止めるものである。
【０００８】
請求項２の発明は、便座の開閉に従って回転する回転軸と受止板に、ロープ体の両端を固定して連係し、回転軸へは巻回して固定すると共に、受止板に復帰方向への付勢手段を設けたものであり、便座の開閉によって受止板を手前側へ突出させ、又は元の便器上面へ復帰させるものとなる。
【０００９】
請求項３の発明は、受止板が上向きの角度で突出するようにしたもので、受け止めた小便が流れても便器内へ落ちるようにしたものである。
又、請求項４の発明は、受止板の上面に吸水性素材より成る被覆体を着脱可能に設けたもので、清潔な状態を容易に維持できるものとなる。
【発明の効果】
【００１０】
本発明では、便器上の手前部及び両側部にＵ字型の受止板が被設され、便座を開くと便器外方の手前（使用者側）へ突出するため、便器の手前部においては、便器自体の上面の手前部と突出した受止板の手前部分との広巾面が形成されるものとなる。
したがって、受止板が便器より突出した部分に飛散する小便が床に落ちることなく、受止板で落下を阻止できることとなる。
又、便器の側部においても受止板の突出で張り出した部分が飛散落下を阻止する効果を得られるものであって、便器の側部の弧状が大きい程阻止効果が大きくなるものである。
【００１１】
受止板の突出及び元の位置へ復帰が便座の開閉に従って行われるものであるから、不使用時や便座使用時には便器と便座の間に収容された状態で、少なくとも便座より突出せず、何等の支障は生じないものである。
【００１２】
便座の開閉に従って回転する回転軸と受止板にロープ体の両端を固定して連係し、回転軸へは巻回して固定すると共に、受止板に復帰方向へ付勢手段を設けることで、簡易な構成で、駆動源を設けることなく、受止板の突出又は復帰を便座の開閉によって行うことができるものである。
【００１３】
更に、受止板の突出を上向きの角度に規制することで、受止板で受けた小便が流れても便器内へ導くことができる効果があり、受止板の上面に吸水性素材より成る被覆体を着脱可能に設けることによって、被覆体の取り替えによって清掃が容易で、清潔性の維持管理に資するものである。
【発明を実施するための最良の形態】
【００１４】
本発明の実施の一形態を図面に基づいて説明する。
図１は本発明の一実施の形態を示す側面図、図２は同斜視図であり、通常の便器１、便座２及び蓋３の他に、便器１と便座２の間に受止板４が介在されている。
【００１５】
受止板４はＵ字型の板体であって、上面は内方に向かって稍傾斜した面とし、便器１の手前側に載置されるものであり、便器１の手前側中央部に前後方向に設置したスライド用レール５に、受止板４の裏面中央部の巾方向（便器１の前後方向と一致）に前記スライド用レール５に摺動可能に嵌合する脚部６を有し、便器１の手前外側へスライドして突出することができる。
【００１６】
受止板４が便器１の外方の手前へスライドして突出する手段は、脚部６の後方部位に一端を結着した一対のワイヤーロープ７によって行われる。
一対のワイヤーロープ７の他端は、それぞれ便器１の側面を渡って、後方の便座２が開閉する軸である回転軸８に巻着してあり、便座２が上方へ開かれる時には、回転軸８の回転によって回転軸８に巻き付いて脚部６の一端との長さが短く成り、便座２が閉じて便器上（受止板４の上でもある）に載置する時は、元の長さに戻ることとなる。
【００１７】
又、前記スライド用レール５の手前側には切り欠き溝９を形成して、内部にスプリング１０を収容し、切り欠き溝９の奥の壁面と受止板４とを連係し、受止板４が便器１上に位置するように付勢されている。
【００１８】
したがって、便座２が開いた時は、ワイヤーロープ７は回転軸８に巻かれ短くなるため、スプリング１０の付勢に抗して受止板４が便器１の外方の手前へスライドし、スライドした分、便器１の上面と受止板４の上面で形成する面の巾が広くなって小便の飛散を受け止め、床に落下するスペースを狭くするのである。
そして、便座２を閉じた時は、回転軸８に巻かれたワイヤーロープ７の部分は解舒されて元の長さに戻り、スプリング１０の弾発付勢によって元の便器１上の位置に復帰するのである。
【００１９】
尚、ワイヤーロープ７の中間部は便器１の側面に固定した管１１内を通してあり、ワイヤーロープ７を一定の長さに設定して便座２の開閉によって、一定量の長短と成るようにしてある。
【００２０】
図５は、スライド用レール５１が手前側に向かって稍高く傾斜しており、受止板４も手前が稍高く成って便器１上に載置し、前方へスライドした場合も、スライド用レール５１の傾斜に沿って上向きの角度で突出することとなる。
よって、受止板４の上面が稍内方に向かって傾斜した面となっているのに加え、受止板４自体も傾斜して便器１に対して位置するため、受止板４で受け止めた小便が流れても、便器１内に向かって流れ、外側の床面に落下することはないのである。
【００２１】
受止板４の上面には紙や布等１２を着脱可能に被覆したものとし、受止板４の周囲に係止爪１３が適宜に設けてある。受け止めた小便を紙や布等１２で吸収し、使用後、便器１内に廃棄すれば、受止板４を常に清潔に保つことができ、清掃も容易となるものである。
【図面の簡単な説明】
【００２２】
【図１】本発明の一実施の形態を示す側面図である。
【図２】本発明の一実施の形態を示す斜視図である。
【図３】本発明の一実施の形態を示す要部正面図である、
【図４】本発明の一実施の形態を示す要部側面図である。
【図５】本発明の他の実施の形態を示す要部断面図である。
【符号の説明】
【００２３】
１  便器
２  便座
３  蓋
４  受止板
５、５１  スライド用レール
６  脚部
７  ワイヤーロープ
８  回転軸
９  切り欠き溝
１０  スプリング
１１  管
１２  紙や布等
１３  係止爪
【図１】
2006068438.tif 000003
【図２】
2006068438.tif 000004
【図３】
2006068438.tif 000005
【図４】
2006068438.tif 000006
【図５】
2006068438.tif 000007